(57)【特許請求の範囲】
【請求項１】
魚釣りに用いる中通し竿であって、
内部に釣糸通路を有する竿体と、前記釣糸通路に連通する内部通路を有し穂先側外周面に雄ネジ部を有し、前記竿体の穂先側端部に竿元側部分が挿入されて固定される前記竿体より小径の連結部材と、前記連結部材の穂先側に着脱自在に連結されるトップガイドとを備え、
前記トップガイドは、前記連結部材の内部通路に連通する内部通路を有し外径が前記竿体の穂先側外径に連続する筒状の本体部と、前記本体部の釣糸通路の竿元側内周面に形成され前記連結部材の雄ネジ部に螺合する雌ネジ部と、前記本体部の内部通路内に配置される釣糸案内部材とを有している、中通し竿。
【請求項２】
前記雄ネジ部は、前記連結部材の穂先側外周面に固定されたコイルバネである、請求項１に記載の中通し竿。
【請求項３】
前記雌ネジ部は、前記トップガイドの竿元側内周面に固定されたコイルバネである、請求項１に記載の中通し竿。
【発明の詳細な説明】
【０００１】
【発明の属する技術分野】
本発明は、内部に釣糸が挿通可能な釣糸を有する中通し竿に関する。
【０００２】
【従来の技術】
従来の中通し竿は、内部に釣糸が挿通可能な釣糸通路を有する元竿と、元竿の穂先側に連結され元竿同様に内部に釣糸通路を有する中竿と、中竿の穂先側に連結され釣糸通路を有する穂先竿とを有している。元竿には、リールを取り付け可能なリールシートが形成され、リールシートの穂先側にはリールからの釣糸を竿体内部の釣糸通路に導入するための釣糸導入口が形成されている。また、穂先竿の穂先側端部にはトップガイドが設けられている。
【０００３】
このトップガイドは、穂先竿の穂先側端部にはめ込まれた筒状の本体部と、本体部の穂先側端部内にはめ込まれたセラミックリングを有している。そして、リールからの釣糸は釣糸導入口から竿体内部へ導かれて穂先側のトップガイドへ至り、トップガイドの本体部内を挿通してセラミックリングに支持されながら外部へ導出される。
【０００４】
この種の中通し竿として、穂先竿の穂先側端部に取り付けられた連結部材にトップガイドが装着されることによりトップガイドが穂先竿に連結されたものがある。この連結部材は、管状の部材であり、竿元側部分に竿体の穂先側端部が挿入されている。一方、穂先側部分にはネジ山が形成されており、トップガイドの竿元側にこのネジ山に螺合するネジ溝が形成されている。
【０００５】
この中通し竿では、トップガイドのネジ溝が穂先竿のネジ山に螺合することでトップガイドは穂先竿に装着される。
【０００６】
【発明が解決しようとする課題】
従来の中通し竿では、連結部材は穂先竿の外周に装着されるため、中通し竿の穂先部分の外周面には、連結部材の径方向厚みだけ外周側に突出して段部が形成される。しかし、この段部が形成される位置はトップガイドの先端部の近傍にあるため、トップガイドの先端部から導出された釣糸がこの段部に巻き付く等して糸絡みが生じることがある。特に、「糸ふけ」等が発生した場合は糸絡みが生じやすい。
【０００７】
本発明の目的は、トップガイドから導出される釣糸の糸絡みを抑えることにある。
【０００８】
【課題を解決するための手段】
発明１に係る中通し竿は、魚釣りに用いるものであって、竿体と連結部材とトップガイドとを備えている。竿体は内部に釣糸通路を有している。連結部材は、釣糸通路に連通する内部通路を有し穂先側外周面に雄ネジ部を有し、竿体の穂先側端部に竿元側部分が挿入されて固定される竿体より小径の部材である。トップガイドは連結部材の穂先側に着脱自在に連結される。そして、トップガイドは、本体部と雌ネジ部と釣糸案内部材とを有している。本体部は、連結部材の内部通路に連通する内部通路を有し外径が竿体の穂先側外径に連続する筒状の部分である。雌ネジ部は、本体部の釣糸通路の竿元側内周面に形成され連結部材の雄ネジ部に螺合する部分である。釣糸案内部材は本体部の内部通路内に配置される。
【０００９】
この中通し竿では、リールからの釣糸は竿体内部の釣糸通路から連結部材及びトップガイドの内部通路を経て外部に導出される。この釣糸はトップガイドの内部通路内では釣糸案内部材に支持されてスムーズな出入りが担保される。また、連結部材は、連結部材の竿元側が竿体の穂先側端部に挿入されて竿体に固定される。
【００１０】
そして、トップガイドの本体部外径は竿体の穂先側外径に連続しており、また、連結部材は竿体及びトップガイドの内周側に配置されるため、トップガイドと竿体との連結部分の外周面に不要な段差が生じない。このため、「糸ふけ」等が発生した場合にも釣糸がトップガイド付近に絡まってしまうのを抑えることができる。
【００１１】
発明２に係る中通し竿は、発明１の中通し竿において、雄ネジ部は、連結部材の穂先側外周面に固定されたコイルバネである。この中通し竿では、トップガイドは、雌ネジ部が連結部材のコイルバネに螺合することにより竿体に装着される。ここでは、連結部材にコイルバネを固定することで連結部材に雌ネジ部を形成したのと同様の作用効果が得られる。また、コイルバネは連結部材の外周面に固定するのみでよいため、連結部材の穂先側部分の製造が容易になるとともに、コイルバネは連結部材と別体であるため、コイルバネの交換が可能となる。
【００１２】
発明３に係る中通し竿は、発明１の中通し竿において、雌ネジ部は、トップガイドの竿元側内周面に固定されたコイルバネである。この中通し竿では、トップガイドは、コイルバネが連結部材の雄ネジ部に螺合することにより竿体に装着される。ここでは、トップガイドにコイルバネを固定することでトップガイドに雌ネジ部を形成したのと同様の作用効果が得られる。また、コイルバネはトップガイド内周面に固定するのみでよいため、トップガイドの竿元側部分の製造が容易になるとともに、コイルバネはトップガイドと別体であるため、コイルバネの交換が可能となる。
【００１３】
【発明の実施の形態】
［参考例１］
本発明の実施例の説明をするために、本発明の参考例１について図面を参照しつつ説明する。本発明の参考例１を採用した中通し竿は、図１に示すように、内部に釣糸が挿通可能な釣糸通路を有する竿体１を有している。竿体１は複数の竿体を振出形式または並継形式に順次連結して構成される。竿元側外周には竿元グリップ２が装着され、その穂先側には前グリップ３が装着される。また、竿元グリップ２と前グリップ３との間にはリール４を脱着自在に装着可能なリールシート５が設けられており、穂先側周面上にはリール４からの釣糸Ｌを釣糸通路内に導入するための釣糸導入口６が形成されている。一方、穂先側端部にはトップガイド７が取り付けられている。そして、リール４からの釣糸Ｌは釣糸導入口６から竿体１内部の釣糸通路に導入され、順次穂先側へ導かれてトップガイド７から外部に導出される。
【００１４】
竿体１は炭素繊維やガラス繊維などの強化繊維に樹脂を含浸させたプリプレグをマンドレルに巻回し焼成して得られた先細り筒状部材である。また、それぞれの竿体１の外周面上には撥水性，耐候性の塗材が塗布されており、商品イメージに応じて様々な模様が施されている。図２に示すように、最も穂先側に位置する竿体１の穂先側端部には、他の部分より穂先側にかけて薄肉に形成された大径部１ａが形成されており、大径部１ａの内周面には雌ネジ１ｂが形成されている。大径部1ａの穂先側先端には端面1ｃが形成されている。
【００１５】
トップガイド７は、図２に示すように、内部に挿通通路を有する本体部１０と、本体部１０に連続しかつ本体部１０の竿元側に形成された小径部１０ａと、本体部１０の挿通通路の穂先側端面に配置される第１釣糸案内リング１２と、挿通通路の第１釣糸案内リング１２の竿元側に隣接して配置され第１釣糸案内リング１２より小径の第２釣糸案内リング１３と有している。
【００１６】
本体部１０は、ステンレス等の合金または合成樹脂製の筒状部材であり、外径が竿体１の穂先側外径に連続している。小径部１０ａは、本体部１０の竿元側外周面の一部が切欠かれて小径化された部分である。小径部１０ａの外周面には、竿体１の雌ネジ１ｂに螺合可能な雄ネジ１０ｂが形成されている。雄ネジ１０ｂの穂先側に隣接する外周面には、竿体１の端面１ｃと等しい外径を有しかつ端面１ｃと密着可能に形成された端面１０ｃが形成されている。
【００１７】
第１釣糸案内リング１２及び第２釣糸案内リング１３は、セラミック製のリング部材であり、接着剤等によって本体部１０に固定されている。そして、内周側を釣糸Ｌが挿通しこれを支持するようになっている。このように構成された中通し竿では、釣糸Ｌは竿体１内部の釣糸通路から本体部１０の内部通路を経て外部に導出される。そして、この釣糸Ｌは本体部１０の内部通路内では第１釣糸案内リング１２及び第２釣糸案内リング１３に支持されてスムーズな出入が担保されている。
【００１８】
また、トップガイド７の本体部１０の外径は竿体１の穂先側外径に連続しており、トップガイド７と竿体１との連結部分の外周面に不要な段差が生じない。このため、「糸ふけ」等が発生した場合にも釣糸Ｌがトップガイド７付近に絡まってしまうのを抑えることができる。さらに、竿体１とトップガイド７とを連結するための雌ネジ１ｂ及び雄ネジ１０ｂは、中通し竿の内周側に形成され外周面に露出していないので、ゴミ、埃等がこれらのネジ部分に目詰まりすることも抑えられる。
【００１９】
［参考例２］
以下、本発明の参考例２について図面を参照しつつ説明する。ここでは、参考例１との相違に注目して説明する。竿体１の大径部１ａの内周面には、図３に示すように、平坦な周面が形成されている。そして、大径部１ａの内周側には、その外径が小径部１０ａの内径と等しいコイルバネ１５が配置されている。コイルバネ１５は小径部１０ａの内周面に接着等されて固定されている。
【００２０】
本体部１０の小径部１０ａには、コイルバネ１５の内周部に螺合可能な雄ネジ１０ｂが形成されている。このように構成された中通し竿では、本体部１０は、本体部１０の雄ネジ１０ｂがコイルバネ１５の内周部に螺合することにより竿体１に装着される。ここでは、竿体１にコイルバネ１５を固定することで竿体１に雌ネジを形成したのと同様の作用効果が得られる。また、コイルバネ１５は竿体１の内周面に固定するのみでよいため、竿体１の穂先側部分の製造が容易になるとともに、コイルバネ１５は竿体１と別体であるため、コイルバネ１５の交換が可能となる。
【００２１】
［実施例］
以下、本発明の実施例について図面を参照しつつ説明する。ここでは、上記参考例との相違に注目して説明する。本体部１０の竿元側端部には、図４に示すように、竿元側にかけて一部切り欠かれた大径部１０ａが形成されており、後述するコイルバネ１５の外周部に螺合可能な雌ネジ１０ｂが形成されている。本体部１０の竿元側端面には、竿体１の端面１ｃと等しい外径を有しかつ竿体1の竿先側端面1ｃに密着可能な端面１０ｃが形成されている。
【００２２】
本体部１０の大径部１０ａの内周側から竿体１の大径部１ａ内周側にかけては連結部材１７が配置されている。連結部材１７は、穂先側部分が大径部１０ａに対応して形成され、竿元側部分が大径部１ａに対応して形成されている。連結部材１７の内周側には釣糸Ｌが挿通される内部通路が形成されている。連結部材１７の竿元側部分は竿体１の大径部１ａ内周面に接着により固定されている。連結部材１７の穂先側外周面にはコイルバネ１５の内周部が固定されている。
【００２３】
また、トップガイド７の本体部１０の外径は竿体１の穂先側外径に連続しており、トップガイド７と竿体１との連結部分の外周面に不要な段差が生じない。このため、「糸ふけ」等が発生した場合にも釣糸Ｌがトップガイド７付近に絡まってしまうのを抑えることができる。さらに、トップガイド７は、竿体１に直接連結されるものではなく、連結部材１７を介して竿体１に連結されているため、トップガイド７と竿体１との連結部分の強度を維持しつつトップガイド７と竿体１との連結部分の段差を容易に解消することができる。また、本体部１０は、雌ネジ１０ｂが連結部材１７のコイルバネ１５に螺合することにより竿体１に装着されるため、連結部材１７にコイルバネ１５を固定することで連結部材１７に雌ネジを形成したのと同様の作用効果が得られる。また、コイルバネ１５は連結部材１７の外周面に固定するのみでよいため、連結部材１７の穂先側部分の製造が容易になるとともに、コイルバネ１５は連結部材１７と別体であるため、コイルバネ１５の交換が可能となる。
【００２４】
［参考例３］
以下、本発明の参考例３について図面を参照しつつ説明する。ここでは、上記参考例、実施例との相違に注目して説明する。トップガイド７は、図５に示すように、本体部１０の穂先側端面には第１釣糸案内リング１２が配置されているが、この第１釣糸案内リング１２の内径は本体部１０の挿通通路１０ｄの内径より小さくなっている。また、第１釣糸案内リング１２の竿元側に隣接する部分には、上記実施形態のように第２釣糸案内リング１３は配置されておらず、所定のスペースが形成されている。
【００２５】
このように構成された中通し竿では、参考例２と同様に、本体部１０の雄ネジ部１０ｂがコイルバネ１５の内周部に螺合することにより竿体１に装着されるため、釣糸Ｌがトップガイド７付近に絡まってしまうのを抑えることができる。また、第１釣糸案内リング１２の内径は小さいため、外部から第１釣糸案内リング１２の内周側を通ってゴミが入り込み第１釣糸案内リング１２の竿元側に隣接するスペースにゴミが溜まるのを防ぐことができる。さらに、第１釣糸案内リング１２の内径は本体部１０の挿通通路１０ｄの内径より小さいため、竿元側からの釣糸Ｌは挿通通路１０ｄの穂先側内周面に貼り付かずに第１釣糸案内リング１２の内周側に案内される。このため、釣糸Ｌは、本体部１０の内周面から受ける摩擦が少なくなり、トップガイド７内からスムーズに外部に繰り出される。
【００２６】
［他の実施例］
コイルバネ及び雄ネジ（または雌ネジ）は互いに逆側の部材に固定、形成してもよい。例えば、参考例２では、コイルバネ１７を本体部１０の小径部１０ａに固定しかつ雄ネジを竿体１に雌ネジとして形成してもよい。同様に、実施例では、コイルバネ１７を本体部１０の大径部１０ａに固定しかつ雌ネジを連結部材１５に雄ネジとして形成してもよい。
【００２７】
【発明の効果】
本発明によれば、中通し竿の穂先部分の外周面に段部が形成されることがないため、トップガイドから導出される釣糸の糸絡みを抑えることができる。
【図面の簡単な説明】
【図１】本発明の参考例１を採用した中通し竿の全体図。
【図２】前記中通し竿のトップガイド付近の部分縦断面図。
【図３】本発明の参考例２を採用したトップガイド付近の断面図。
【図４】本発明の実施例を採用したトップガイド付近の断面図。
【図５】本発明の参考例３を採用したトップガイド付近の断面図。
【符号の説明】
１  竿体
１ｂ  雌ネジ部
７  トップガイド
１０  本体部
１０ａ  小径部
１０ｂ  雄ネジ部
１２  第１釣糸案内リング
１３  第２釣糸案内リング
【図１】
0003590867.tif 000002
【図２】
0003590867.tif 000003
【図３】
0003590867.tif 000004
【図４】
0003590867.tif 000005
【図５】
0003590867.tif 000006